(57)【要約】【課題】ぶれの視認性が向上したぶれ報知装置、撮影装置、これらの制御方法、制御プログラム及び記録媒体を提供する。【解決手段】撮影モードの場合、角速度検出部の角速度データに基づいてぶれ方向及びぶれ量を検出し（ステップＳ１〜Ｓ４）、この検出結果に基づいてプレビュー画像にぶれを強調する画像処理を施し、画像処理後のプレビュー画像を表示させるようにした（ステップＳ５）。【選択図】図３
2007221543.tif 000002
【特許請求の範囲】
【請求項１】
撮影部のぶれを検出するぶれ検出手段と、
前記ぶれ検出手段によりぶれを検出し、この検出結果に基づいて前記撮影部のプレビュー画像の少なくとも一部にぶれを強調する画像処理を施し、画像処理後のプレビュー画像を表示させる表示制御手段と
を備えることを特徴とするぶれ報知装置。
【請求項２】
前記表示制御手段は、前記プレビュー画像にぼかし効果を付与する画像処理を施すことを特徴とする請求項１に記載のぶれ報知装置。
【請求項３】
前記ぶれ検出手段は、ぶれの方向を検出可能に構成され、
前記表示制御手段は、前記プレビュー画像に、検出した方向へぶれたぼかし効果を付与する画像処理を施すことを特徴とする請求項２に記載のぶれ報知装置。
【請求項４】
前記ぶれ検出手段は、ぶれ量を検出可能に構成され、
前記表示制御手段は、前記プレビュー画像に、検出したぶれ量に比例したぼかし効果を付与する画像処理を施すことを特徴とする請求項２又は３に記載のぶれ報知装置。
【請求項５】
前記表示制御手段は、前記撮影部の撮影条件に基づいて前記プレビュー画像にぶれを強調する画像処理を施すか否かを判定し、画像処理を施さないと判定した場合、前記画像処理を施すことなく前記プレビュー画像を表示させることを特徴とすることを特徴とする請求項１乃至４のいずれかに記載のぶれ報知装置。
【請求項６】
撮影部のぶれを検出して報知するぶれ報知装置の制御方法において、
前記撮影部のぶれを検出し、この検出結果に基づいて前記撮影部のプレビュー画像の少なくとも一部にぶれを強調する画像処理を施し、画像処理後のプレビュー画像を表示することを特徴とするぶれ報知装置の制御方法。
【請求項７】
画像を撮影する撮影手段と、
前記撮影手段のぶれを検出するぶれ検出手段と、
前記ぶれ検出手段によりぶれを検出し、この検出結果に基づいて前記撮影手段のプレビュー画像の少なくとも一部にぶれを強調する画像処理を施し、画像処理後のプレビュー画像を表示させる表示制御手段と
を備えることを特徴とする撮影装置。
【請求項８】
撮影部と撮影部のぶれを検出するぶれ検出部とを有する撮影装置の制御方法において、
前記ぶれ検出部によりぶれを検出し、この検出結果に基づいて前記撮影部のプレビュー画像の少なくとも一部にぶれを強調する画像処理を施し、画像処理後のプレビュー画像を表示させることを特徴とする撮影装置の制御方法。
【請求項９】
撮影部を有するコンピュータを、
前記撮影部のぶれを検出するぶれ検出手段と、
前記ぶれ検出手段によりぶれを検出し、この検出結果に基づいて前記撮影部のプレビュー画像の少なくとも一部にぶれを強調する画像処理を施し、画像処理後のプレビュー画像を表示させる表示制御手段として機能させるための制御プログラム。
【請求項１０】
撮影部を有するコンピュータを、
前記撮影部のぶれを検出するぶれ検出手段と、
前記ぶれ検出手段によりぶれを検出し、この検出結果に基づいて前記撮影部のプレビュー画像の少なくとも一部にぶれを強調する画像処理を施し、画像処理後のプレビュー画像を表示させる表示制御手段として機能させるための制御プログラムが記録されたコンピュータ読み取り可能な記録媒体。
【発明の詳細な説明】
【技術分野】
【０００１】
本発明は、撮影時のぶれを報知するぶれ報知装置、撮影装置、これらの制御方法、制御プログラム及び記録媒体に関する。
【背景技術】
【０００２】
従来より、撮影の際に生じる手ぶれを検知して撮影者に知らせるぶれ報知装置が知られている（例えば、特許文献１）。この種のぶれ報知装置には、ぶれ表示用の表示部を別途設け、ぶれを検知した場合に、上記表示部にぶれ量やぶれ方向を表示するものがある（例えば、特許文献２）。
【特許文献１】特開平５−３１３２３９号公報
【特許文献２】特開平７−１１０５０１号公報
【発明の開示】
【発明が解決しようとする課題】
【０００３】
しかし、従来のものは、ぶれ表示専用の表示エリアが必要になってしまうだけでなく、ユーザがぶれを確認するためにその表示エリアを凝視しなければならず、初心者や高齢者等にとって確認しづらい場合があった。特に、近年のデジタルカメラやカメラ付き携帯電話機は小型軽量のものが多く、かかる小型カメラの１．４インチ〜２．５インチ程度の液晶パネルにプレビュー画像とぶれ情報とを別々に表示すると、各々の表示が小さくなってしまい、よけいと見づらくなってしまう。
【０００４】
本発明は、上述した事情に鑑みてなされたものであり、ぶれの視認性が向上したぶれ報知装置、撮影装置、これらの制御方法、制御プログラム及び記録媒体を提供することにある。
【課題を解決するための手段】
【０００５】
上述課題を解決するため、本発明は、ぶれ報知装置において、撮影部のぶれを検出するぶれ検出手段と、前記ぶれ検出手段によりぶれを検出し、この検出結果に基づいて前記撮影部のプレビュー画像の少なくとも一部にぶれを強調する画像処理を施し、画像処理後のプレビュー画像を表示させる表示制御手段とを備えることを特徴とする。この発明によれば、ぶれの検出結果に基づいてプレビュー画像の少なくとも一部にぶれを強調する画像処理を施し、画像処理後のプレビュー画像を表示させるので、ぶれ表示専用の表示エリアが不要になるだけでなく、ユーザがこのプレビュー画像を一目見ればぶれの有無を容易に認識することができ、ぶれの視認性が向上する。
【０００６】
上記発明において、前記表示制御手段は、前記プレビュー画像にぼかし効果を付与する画像処理を施すことが好ましい。また、上記発明において、前記ぶれ検出手段は、ぶれの方向を検出可能に構成され、前記表示制御手段は、前記プレビュー画像に、検出した方向へぶれたぼかし効果を付与する画像処理を施すことが好ましい。この構成によれば、ユーザがぶれ方向を容易に認識することができる。
【０００７】
また、上記発明において、前記ぶれ検出手段は、ぶれ量を検出可能に構成され、前記表示制御手段は、前記プレビュー画像に、検出したぶれ量に比例したぼかし効果を付与する画像処理を施すことが好ましい。この構成によれば、ユーザがぶれ量の程度を容易に認識することができる。
また、上記発明において、前記表示制御手段は、前記撮影部の撮影条件に基づいて前記プレビュー画像にぶれを強調する画像処理を施すか否かを判定し、画像処理を施さないと判定した場合、前記画像処理を施すことなく前記プレビュー画像を表示させることが好ましい。この構成によれば、ぶれが撮影画像に及ぼす影響が小さい場合には元のプレビュー画像が表示され、ユーザがぶれを気にすることなく撮影を行うことが可能になる。
【０００８】
また、本発明は、撮影部のぶれを検出して報知するぶれ報知装置の制御方法において、前記撮影部のぶれを検出し、この検出結果に基づいて前記撮影部のプレビュー画像の少なくとも一部にぶれを強調する画像処理を施し、画像処理後のプレビュー画像を表示することを特徴とする。この発明によれば、ぶれの検出結果に基づいて撮影部のプレビュー画像の少なくとも一部にぶれを強調する画像処理を施し、画像処理後のプレビュー画像を表示するので、ぶれの視認性が向上する。
【０００９】
また、本発明は、撮影装置において、画像を撮影する撮影手段と、前記撮影手段のぶれを検出するぶれ検出手段と、前記ぶれ検出手段によりぶれを検出し、この検出結果に基づいて前記撮影手段のプレビュー画像の少なくとも一部にぶれを強調する画像処理を施し、画像処理後のプレビュー画像を表示させる表示制御手段とを備えることを特徴とする。この発明によれば、ぶれの検出結果に基づいて撮影部のプレビュー画像の少なくとも一部にぶれを強調する画像処理を施し、画像処理後のプレビュー画像を表示するので、ぶれの視認性が向上する。
【００１０】
また、本発明は、撮影部と撮影部のぶれを検出するぶれ検出部とを有する撮影装置の制御方法において、前記ぶれ検出部によりぶれを検出し、この検出結果に基づいて前記撮影部のプレビュー画像の少なくとも一部にぶれを強調する画像処理を施し、画像処理後のプレビュー画像を表示させることを特徴とする。この発明によれば、ぶれの検出結果に基づいて撮影部のプレビュー画像の少なくとも一部にぶれを強調する画像処理を施し、画像処理後のプレビュー画像を表示するので、ぶれの視認性が向上する。
【００１１】
また、本発明は、以上説明したぶれ検出装置、撮影装置及びこれらの制御方法に適用する他、この発明を実施するための制御プログラムを電気通信回線を介してダウンロード可能にしたり、そのようなプログラムを、磁気記録媒体、光記録媒体、半導体記録媒体といった、コンピュータに読み取り可能な記録媒体に記憶して配布する、といった態様でも実施され得る。
【００１２】
本発明に係るぶれ検出装置、撮影装置、これらの制御方法、制御プログラム及び記録媒体によれば、ぶれの検出結果に基づいて撮影部のプレビュー画像の少なくとも一部にぶれを強調する画像処理を施し、画像処理後のプレビュー画像を表示するので、ぶれの視認性が向上する。
【発明を実施するための最良の形態】
【００１３】
以下、図面を参照して本発明の実施形態を詳述する。
図１は本発明の実施形態に係るデジタルカメラ（撮影装置）１０の構成を示すブロック図である。このデジタルカメラ１０は、撮影部２０、表示部３０、操作部４０、角速度検出部５０、制御部６０、外部記録再生部７０及び着脱自在なリムーバブルメモリ８０を備えている。
撮影部（撮影手段）２０は、光学系２１、イメージセンサ２２、アナログフロントエンド（ＡＦＥ）部２３、画像処理部２４及び圧縮・伸張部２５を有している。光学系２１は、複数のレンズ２１ａ、絞り２１ｂ等で構成され、制御部６０の制御の下、いずれかのレンズ２１ａと絞り２１ｂが駆動されて、被写体をイメージセンサ２２の受光面に結像させる。
【００１４】
イメージセンサ２２は、２次元空間に離散的に配置された光電変換素子とＣＣＤ（Charge Coupled Device）等の電荷転送素子とを備えた撮像素子であり、いわゆるＣＣＤイメージセンサ、ＣＭＯＳイメージセンサ等が適用されている。イメージセンサ２２は、制御部６０の制御の下、受光面に結像された被写体像を光電変換して得られる電荷を光電変換素子毎に一定時間蓄積し、光電変換素子毎の受光量に応じた電気信号を出力する。なお、イメージセンサ２２の露光量は、絞り２１ｂのＦ値や光学系２１とイメージセンサ２２との間に設けられる図示しないメカニカルシャッタの開放時間とで決定され、撮影時の露光量は、制御部６０が設定したシャッター速度（露出時間）等に基づいて決定される。また、イメージセンサ２２の露光時間はイメージセンサ２２の電荷蓄積時間自体を電気的に制御することによって調整してもよい。
【００１５】
ＡＦＥ部２３は、イメージセンサ２２から出力される電気信号をＡＤ変換器でデジタル信号に量子化してＲＡＷデータを出力する。
画像処理部２４は、ＲＡＷデータに各種フィルタ処理（画像処理）を施すことにより、記録用の画像データ（以下、記録用画像データという）と、プレビュー用の画像データ（以下、プレビュー画像データという）とを作成する。より具体的には、画像処理部２４は、ＲＡＷデータに対し、３原色（ＲＧＢ）の濃淡レベルを持つカラー画像を形成する画像形成処理、ホワイトバランス補正、ガンマ補正等を施して記録用画像データ及びプレビュー画像データを作成するが、プレビュー画像データについては、表示部３０の解像度に合致する解像度に変換する解像度変換処理が更に施されている。本構成では、この画像処理部２４が、画像データにぼかし効果を付与するフィルタ処理機能を具備しており、制御部６０の指示の下、プレビュー画像データにぼかし効果を付与可能に構成されている。
【００１６】
圧縮・伸張部２５は、画像処理部２４から出力された記録用画像データを圧縮し、また、圧縮された記録用画像データを伸張するものであり、圧縮した画像データは外部記録再生部７０に出力し、外部記録再生部７０は、制御部６０の制御の下、画像データをリムーバブルメモリ８０に記録する。また、外部記録再生部７０は、制御部６０の制御の下、リムーバブルメモリ８０に記録された圧縮画像データを読み出して圧縮・伸張部２５に出力する。なお、リムーバブルメモリ８０は、半導体メモリ、光ディスク、磁気ディスク又はハードディスク等が適用される。
【００１７】
表示部３０は、例えば１．４〜２．５インチサイズの液晶パネルや液晶駆動部等を備え、制御部６０の制御の下、操作メニューやプレビュー画像データ等を表示する表示手段として機能する。このデジタルカメラ１０は、動作モードとして、静止画を撮影する撮影モードと、撮影済みの静止画を再生する再生モードとを少なくとも備え、上記表示部３０には、例えば撮影モードの場合には、撮影部２０により、プレビュー画像データ、つまり、撮影中の画像（プレビュー画像）が表示され、再生モードの場合には、外部記録再生部７０によってリムーバブルメモリ８０から読み出され圧縮・伸張部２５により伸張された記録用画像データの画像が表示される。なお、本実施形態では、撮影モードとして複数の撮影モードを備えている。
【００１８】
この複数の撮影モードには、制御部６０がシャッター速度と絞り値とを算出して撮影する自動露出モード、シャッター速度をユーザ（撮影者）が入力し、絞り値については制御部６０が算出するシャッター優先モード、絞り値をユーザが入力し、シャッター速度は制御部６０が算出する露出優先モード、シャッター速度及び絞り値をユーザが入力するプログラムモード等があり、また、各撮影モードは全てセルフタイマを使用して撮影できるようになっている。
【００１９】
操作部４０は、ユーザによって操作される複数の操作子を有し、この操作子には、撮影を指示する押下式のシャッターボタン４１ａや、動作モードの選択、撮影条件の設定及び撮影画像の確認等を行う操作キーがあり、シャッターボタン４１ａについては、最奧部まで押下された全押し状態と、いわゆる半押しで押下された状態とを検出可能に構成されている。
【００２０】
角速度検出部５０は、デジタルカメラ１０のぶれ（手ぶれ）を検出するぶれ検出手段として機能するものであり、図２に示すように、撮像対象のフレームＦＬの上下方向（以下、Ｘ軸と定義する）の角速度を検出するＸ軸ジャイロセンサ５１と、左右方向（以下、Ｙ軸と定義する）の角速度を検出するＹ軸ジャイロセンサ５２とを有している。この角速度検出部５０は、２つのジャイロセンサ５１、５２によりＸ軸及びＹ軸の各角速度に応じた電圧値の角速度検出信号を制御部６０に出力する。
【００２１】
制御部６０は、デジタルカメラ１０の各部を制御するコンピュータとして機能するものであり、図１に示すように、各種プログラムの実行や演算処理をするＣＰＵ６１と、このＣＰＵ６１が実行する制御プログラム１００や各種データを格納する書換可能なフラッシュＲＯＭ（以下、単に「ＲＯＭ」という）６２と、上記ＣＰＵ６１の演算結果や各種データを一時的に格納するためのワークエリアとして機能するＲＡＭ６３とを備えている。また、この制御部６０は、表示部３０の表示を制御する表示制御手段としても機能する。
上記ＲＯＭ（記憶手段）６２に格納された制御プログラム１００には、各撮影モードに応じた撮影処理を実行するための撮影プログラム、及び、ぶれを報知するためのぶれ報知プログラムが含まれている。
【００２２】
この制御プログラム１００は、磁気記録媒体、光記録媒体又は半導体記録媒体等のコンピュータ読み取り可能な記録媒体１１０に記録して配布したり、通信ネットワーク上の配信サーバからダウンロード可能にすることができる。さらに、パーソナルコンピュータと本デジタルカメラ１０とを通信可能にケーブル等で接続し、パーソナルコンピュータで読み取られた記録媒体１１０の制御プログラム１００をデジタルカメラ１０に出力することで、ＲＯＭ（記憶手段）６２に制御プログラム１００を格納することも可能である。
そして、制御部６０は、上記制御プログラムを実行することにより、シャッターボタン４１ａが半押しされると、撮影部のレンズ２１ａを駆動して被写体に焦点を合わせるオートフォーカス調整（自動焦点調整）や自動露出（ＡＥ）演算等の処理を行い、シャッターボタン４１ａが全押し操作されると、自動露出演算の結果に基づき絞り２１ｂを調整してイメージセンサ２２により撮影画像の取得を行う。また、制御部６０は、撮影中の画像（プレビュー画像）を表示部３０に表示し、ユーザは、このプレビュー画像を見て撮影の構図等を定めたり、シャッターチャンスを定めることが可能になっている。
【００２３】
次に、ぶれ報知プログラム実行時の動作を説明する。図３は、この場合の動作を示すフローチャートである。前提として、撮影モード時は、表示部３０にプレビュー画像を表示しているものとする。なお、このプログラムによるぶれ報知処理は、デジタルカメラ１０が電源オンの間、繰り返し実行されている。
まず、制御部６０は、撮影モードか否かを判定し（ステップＳ１）、撮影モードでない場合には（ステップＳ１：NO）、当該処理を終了する一方、撮影モードの場合には（ステップＳ１：YES）、手ぶれ検出処理を開始することにより、角速度検出部５０の角速度検出信号から角速度データの取得を開始し（ステップＳ２）、Ｘ軸及びＹ軸のそれぞれについてぶれの方向を計算すると共に（ステップＳ３）、ぶれ量を計算する（ステップＳ４）。
【００２４】
続いて、制御部６０は、取得したぶれ量及びぶれ方向をプレビュー画像に反映すべく、取得したぶれ量に比例する強調ぶれ量を設定し、画像処理部２４によりプレビュー画像データに対し、このプレビュー画像が、取得したぶれ方向に上記強調ぶれ量だけ動いたようなぼかし効果を付与する画像処理を実行させる。この場合、画像処理部２４は、プレビュー画像データに対し、各画素を取得したぶれ方向に所定ピッチでずらし、かつ、そのずれ量の最大値が上記強調ぶれ量となる画像を付加する画像処理を行う。これにより、図４に具体例を示すように、ぶれ方向が水平方向で、かつ、ぶれ量が予め定めた「中」の範囲の場合には、画像Ｐ１で示されるプレビュー画像の元データからぶれ強調画像Ｐ１Ａに対応する画像データを生成する。また、ぶれ方向が４５度方向で、かつ、ぶれ量が上記「中」の範囲を超える場合（「強」の場合）には、画像Ｐ１で示される元データからぶれ強調画像Ｐ１Ｂに対応する画像データを生成する。
【００２５】
次いで、制御部６０は、画像処理後の画像データにより表示部３０にプレビュー画像を表示させると共に、シャッターボタン４１ａの操作による撮影開始指示を入力したか否かを判定する（ステップＳ６）。そして、撮影開始指示を入力しない場合（ステップＳ６：NO）、制御部６０は、ステップＳ１の処理に移行して、撮影モードの場合は上記ステップＳ１〜Ｓ５の処理を繰り返す。
したがって、撮影画像に影響を与える比較的大きなぶれが存在する場合は、ぶれが強調されたプレビュー画像が表示されてユーザに現在のぶれを報知することができ、また、ぶれが殆ど零の場合には、ぶれが目立たないプレビュー画像を表示することができ、ユーザにぶれがないことを報知することができる。
なお、ぶれ量が予め定めた許容範囲内の場合には、制御部６０が、ぼかし効果を付与する画像処理を行わずに元データに基づくプレビュー画像を表示させてもよい。この場合、画像処理を省略できる分だけ、処理の負担を軽減することができる。
【００２６】
次いで、制御部６０は、撮影開始指示を入力すると（ステップＳ６：NO）、当該制御部６０が自動設定或いはユーザが手動設定した撮影条件（シャッター速度、絞り値）で撮影処理を実行し（ステップＳ７）、撮影した画像データをリムーバブルメモリ８０に記録させ、撮影が終了すると（ステップＳ８）、ステップＳ１の処理に移行する。これにより、撮影モードの場合、上記ステップＳ１〜Ｓ７の処理が循環的に繰り返されて、ぶれを強調したプレビュー画像を略リアルタイムで更新して表示することができる。
【００２７】
以上説明したように、本実施形態では、ぶれを強調したプレビュー画像を表示するので、ぶれ表示専用の表示エリアが不要になるだけでなく、ユーザがこのプレビュー画像を一目見ればぶれの有無を容易に認識することができる。この結果、表示部３０が１．４インチ〜２．５インチ程度の小型のものの場合でも、ユーザが表示部３０全体に表示されるプレビュー画像によりぶれの有無を容易に認識でき、ぶれの視認性を高くすることができる。
しかも、測定したぶれ方向及びぶれ量に基づいてそのぶれ方向及びぶれ量を強調したプレビュー画像を表示するので、ユーザが初心者や高齢者であっても、プレビュー画像を見るだけでぶれの方向及びぶれ量の程度を一目で認識することができる。したがって、ユーザが現在のぶれ方向へのぶれを抑える適切なぶれ対策を採ることも容易に可能であり、かつ、ぶれが収まったタイミングでシャッターボタン４１ａを容易に押下することが可能になる。
【００２８】
（応用例）
上述の実施形態では、プレビュー画像全体にぶれを強調する画像処理を施す場合を説明したが、これに限らず、プレビュー画像の一部だけにぶれを強調する画像処理を施してもよい。この場合、例えば、プレビュー画像の半分サイズ、或いは四分の一サイズをぶれを強調した画像にしても、ユーザがぶれの有無を容易に認識可能である。
【００２９】
また、上述の実施形態において、表示部３０の表示エリアを例えば２分割し、上記画像処理を施す前のプレビュー画像と、上記画像処理を施した後のプレビュー画像とを各表示エリアに表示してもよく、また、表示部３０を複数備える場合は、異なる表示部３０に上記画像処理を施す前のプレビュー画像と、上記画像処理を施した後のプレビュー画像とを表示するようにしてもよい。この場合、上記画像処理を施した後のプレビュー画像によりぶれた画像が撮影されてしまうことをユーザに報知しつつ、上記画像処理を施す前のプレビュー画像、つまり、ぶれが目立たない元のプレビュー画像により、ぶれが生じている場合でも撮影の構図を正確に知らせることが可能になる。
【００３０】
ところで、早いシャッター速度が手動設定された場合、或いは、明るい状況のために早いシャッター速度が自動設定された場合には、多少のぶれがあってもぶれのない画像を撮影できるため、かかる撮影条件の場合には、ぶれの報知を中止する態様が考えられる。この場合、上記実施形態において、制御部６０が、撮影条件（シャッター速度や明るさ等）に基づいて、或いは、撮影条件とぶれ量とに基づいて、プレビュー画像にぶれを強調する画像処理を施すか否かを判定し、画像処理を施さないと判定した場合は上記画像処理を施さずにプレビュー画像を表示させるようにしてもよい。これにより、多少のぶれがあっても、ぶれが撮影画像に及ぼす影響が小さい場合には元のプレビュー画像が表示され、ユーザがぶれを気にすることなくシャッタータイミングを定めることが可能になる。
【００３１】
また、上述の実施形態では、測定したぶれ方向及びぶれ量を強調したプレビュー画像を表示する場合について説明したが、これに限らず、ぶれ方向又はぶれ量のいずれか一方のみを強調したプレビュー画像、或いは、いずれも反映しないプレビュー画像を表示するようにしてもよい。具体的には、ぶれ量が予め定めた許容範囲内にない場合には、単にぶれ方向だけを強調したプレビュー画像を表示してもよく、また、ぶれ方向の報知を省略してぶれだけを強調したプレビュー画像を表示してもよい。なお、ぶれ方向の報知を省略する場合はぶれ方向の検知機能を省略でき、より簡易なぶれ報知機能を実現することができる。
【００３２】
また、上述の実施形態では、ぶれを強調する画像処理として、各画素を所定ピッチでずらす画像処理を行う場合を説明したが、これに限らず、各画素を周辺領域の平均濃度値に変換して画像の輪郭をぼかす等のぶれを強調可能な画像処理を広く適用することができる。また、この種の画像処理を複数種類用意し、使用する画像処理の選択や画像処理時のパラメータの設定をユーザが行うようにしてもよい。また、上述の実施形態では、画像処理部２４が各種画像処理を行う場合を説明したが、これに限らず、制御部６０が上記画像処理を行ってもよい。
してもよい。
【００３３】
さらに、上述の実施の形態では、左右方向（Ｘ軸）及び上下方向（Ｙ軸）のぶれを検出する場合について説明したが、さらに、奥行き方向（Ｚ軸）のぶれを検出してもよく、或いは、上記いずれか１つの方向のぶれだけを検出する構成にしてもよい。
また、上述の実施形態では、デジタルカメラ１０に本発明を適用した場合を説明したが、これに限らず、要は、ぶれが問題となる機器に広く適用が可能である。例えば、デジタルカメラ以外の静止撮影機能や動画撮影機能を有する撮影機器に適用することが可能であり、具体例を挙げると、カメラ付き携帯電話機、銀塩カメラ、及び、カメラ付き或いはカメラを外付け可能なＰＤＡやノート型パソコン等に適用可能である。さらに、これらの機器内にぶれを報知する構成（角速度検出部５０や制御部６０等）が予め内蔵されている場合に限らず、上記構成を備えるぶれ報知装置を別体で構成し、このぶれ報知装置によって、ぶれ検出対象の機器のぶれを報知するようにしてもよい。
【図面の簡単な説明】
【００３４】
【図１】本発明の実施形態に係るデジタルカメラの構成を示すブロック図である。
【図２】フレームとぶれの軸との関係を説明するための図である。
【図３】ぶれ報知プログラム実行時の動作を示すフローチャートである。
【図４】ぶれを強調する画像処理の説明に供する図である。
【符号の説明】
【００３５】
１０…デジタルカメラ（撮影装置）、２０…撮影部（撮影手段）、２４…画像処理部、３０…表示部（表示手段）、４０…操作部、４１ａ…シャッターボタン、５０…角速度検出部（ぶれ検出手段）、５１、５２…ジャイロセンサ、６０…制御部（表示制御手段）、７０…外部記録再生部、８０…リムーバブルメモリ、１００…制御プログラム、１１０…記録媒体。
【図１】
2007221543.tif 000003
【図２】
2007221543.tif 000004
【図３】
2007221543.tif 000005
【図４】
2007221543.tif 000006